(57)【要約】【課題】光学センサによってベルト表面を精度良く効率的に検知する。【解決手段】複数のローラ部材１６〜２０に張架されて所定の移動方向に移動する中間転写ベルト８（ベルト部材）に対向するように配置されて、その移動方向に略直交する方向を回転軸方向として回動可能に構成された光学センサ８０が設置されている。そして、中間転写ベルト８を移動させながら光学センサ８０によって中間転写ベルト８のベルト表面の凹凸状態を検知して、中間転写ベルト８を移動させた状態でベルト表面の凹凸形状に合わせて光学センサ８０を回動させながら光学センサ８０によってベルト表面の濃度を検知している。【選択図】図７
2020154113.tif 000002
【特許請求の範囲】
【請求項１】
複数のローラ部材に張架されて、所定の移動方向に移動するベルト部材と、
前記ベルト部材に対向するように配置されて、前記移動方向に略直交する方向を回転軸方向として回動可能に構成された光学センサと、
を備え、
前記ベルト部材を移動させながら前記光学センサによって前記ベルト部材のベルト表面の凹凸状態を検知して、前記ベルト部材を移動させた状態で前記ベルト表面の凹凸形状に合わせて前記光学センサを回動させながら前記光学センサによって前記ベルト表面の濃度を検知することを特徴とするベルト装置。
【請求項２】
前記ベルト部材は、ベルト内周面又はベルト外周面における周方向の一部にマーク部が形成され、
前記ベルト内周面又は前記ベルト外周面に対向するように配置されて、前記マーク部を検知するマーク検知センサを備え、
前記マーク検知センサによって前記マーク部を検知したタイミングをトリガーとして、前記光学センサによって前記ベルト表面の凹凸状態を検知して、前記ベルト表面における凹部又は凸部の周方向の位置を特定して、
前記凹部又は前記凸部が前記光学センサの位置に移動したときには、前記凹部又は前記凸部の形状に合わせて前記光学センサを回動させながら前記光学センサによって前記凹部又は前記凸部の濃度を検知して、
前記凹部でも前記凸部でもない平面部が前記光学センサの位置に移動したときには、前記光学センサを回動させずに前記平面部に正対した前記光学センサによって前記平面部の濃度を検知することを特徴とする請求項１に記載のベルト装置。
【請求項３】
前記光学センサは、検知光を前記ベルト表面に向けて投光するとともに前記ベルト表面で反射した反射光を受光するものであって、
前記凹部又は前記凸部が前記光学センサの位置に移動したときには、前記凹部又は前記凸部の前記移動方向の移動にともなう投光位置の傾きの変位に合わせて前記投光位置に正対するように前記光学センサを回動させながら前記光学センサによって前記凹部又は前記凸部の濃度を検知することを特徴とする請求項２に記載のベルト装置。
【請求項４】
複数の前記光学センサが、幅方向の異なる位置に、それぞれ別々のタイミングで回動可能に設置されたことを特徴とする請求項１〜請求項３のいずれかに記載のベルト装置。
【請求項５】
前記光学センサによって検知される前記ベルト表面の濃度は、前記ベルト表面の地肌濃度、又は、前記ベルト表面に担持されたトナー像の画像濃度であることを特徴とする請求項１〜請求項４のいずれかに記載のベルト装置。
【請求項６】
前記光学センサによって検知される前記ベルト表面の濃度に基づいて、前記ベルト表面にトナー像を形成するときの作像条件が調整されることを特徴とする請求項１〜請求項５のいずれかに記載のベルト装置。
【請求項７】
請求項１〜請求項６のいずれかに記載のベルト装置を備えたことを特徴とする画像形成装置。
【発明の詳細な説明】
【技術分野】
【０００１】
この発明は、所定の移動方向に移動する中間転写ベルト、感光体ベルト等のベルト部材を備えたベルト装置と、それを備えた画像形成装置と、に関するものである。
【背景技術】
【０００２】
従来から、複写機やプリンタ等の画像形成装置において、所定の移動方向に移動する中間転写ベルトなどのベルト部材に対向するように光学センサを設置したものが知られている（例えば、特許文献１、２参照。）。
そして、光学センサによって、中間転写ベルト（ベルト部材）のベルト表面に形成したトナー像の画像濃度や地肌濃度を検知して、その検知結果に基づいて作像条件を調整している。
【０００３】
一方、特許文献１には、光学センサによる誤検知を防止することを目的として、中間転写ベルトにおけるベルト表面において巻き癖（凹凸）のない部分を、光学センサによって検知する技術が開示されている。
また、特許文献２には、効率的に色ズレ検知することを目的として、中間転写ベルトに対するトナー像検知センサ（光学センサ）の角度を最適化して、中間転写ベルトのベルト表面を検知する技術が開示されている。
【発明の概要】
【発明が解決しようとする課題】
【０００４】
従来の画像形成装置は、ベルト部材のベルト表面に巻き癖などによる凹凸が形成されてしまった場合に、光学センサによってベルト表面の濃度（地肌濃度や画像濃度である。）を精度良く検知することができなかった。
これに対して、特許文献１では、ベルト表面において巻き癖のない部分を光学センサによって検知しているので、光学センサの検知精度が低下する不具合を軽減する効果がある程度期待できる。しかし、ベルト表面にたくさんの巻き癖があるような場合には、光学センサによって検知可能な部分が少なく限定されてしまって、検知効率が低下してしまっていた。
また、特許文献２では、光学センサの角度を最適化してベルト表面を検知しているので、光学センサの検知精度が低下する不具合を軽減する効果がある程度期待できる。しかし、ベルト表面に一様でない複数の凹凸があるような場合には、光学センサの最適な角度を１つに絞り切ることができず、検知精度の低下を充分に軽減することができなかった。
【０００５】
この発明は、上述のような課題を解決するためになされたもので、光学センサによってベルト表面を精度良く効率的に検知することができる、ベルト装置、及び、画像形成装置、を提供することにある。
【課題を解決するための手段】
【０００６】
この発明におけるベルト装置は、複数のローラ部材に張架されて、所定の移動方向に移動するベルト部材と、前記ベルト部材に対向するように配置されて、前記移動方向に略直交する方向を回転軸方向として回動可能に構成された光学センサと、を備え、前記ベルト部材を移動させながら前記光学センサによって前記ベルト部材のベルト表面の凹凸状態を検知して、前記ベルト部材を移動させた状態で前記ベルト表面の凹凸形状に合わせて前記光学センサを回動させながら前記光学センサによって前記ベルト表面の濃度を検知するものである。
【発明の効果】
【０００７】
本発明によれば、光学センサによってベルト表面を精度良く効率的に検知することができる、ベルト装置、及び、画像形成装置、を提供することができる。
【図面の簡単な説明】
【０００８】
【図１】この発明の実施の形態における画像形成装置を示す全体構成図である。
【図２】作像部を示す断面図である。
【図３】中間転写ベルト装置を示す構成図である。
【図４】中間転写ベルト装置の一部を幅方向にみた概略図である。
【図５】ベルト表面の凹凸状態を検知した結果の一例を示すグラフである。
【図６】ベルト表面の凸部と、その凸部を光学センサで検知したときの出力値の変化と、を示す図である。
【図７】光学センサがベルト表面の凸部の地肌濃度や画像濃度を検知するときの動作を示す図である。
【図８】光学センサがベルト表面の凹部の地肌濃度や画像濃度を検知するときの動作を示す図である。
【図９】濃度調整時の制御を示すフローチャートである。
【図１０】変形例１としての、中間転写ベルト装置の一部を幅方向にみた概略図である。
【図１１】変形例２としての、中間転写ベルト装置を示す構成図である。
【発明を実施するための形態】
【０００９】
以下、この発明を実施するための形態について、図面を参照して詳細に説明する。なお、各図中、同一又は相当する部分には同一の符号を付しており、その重複説明は適宜に簡略化ないし省略する。
【００１０】
まず、図１及び図２にて、画像形成装置１００における全体の構成・動作について説明する。
図１は画像形成装置としてのプリンタを示す構成図であり、図２はその作像部の一部を示す拡大図である。
図１に示すように、画像形成装置本体１００の中央には、ベルト装置としての中間転写ベルト装置１５が設置されている。また、中間転写ベルト装置１５の中間転写ベルト８（ベルト部材）に対向するように、各色（イエロー、マゼンタ、シアン、ブラック）に対応した作像部６Ｙ、６Ｍ、６Ｃ、６Ｋが並設されている。
【００１１】
図２を参照して、イエローに対応した作像部６Ｙは、感光体ドラム１Ｙと、感光体ドラム１Ｙ（感光体）の周囲に配設された帯電部４Ｙ、現像部５Ｙ、クリーニング部２Ｙ、潤滑剤供給装置３、除電部と、で構成されている。そして、感光体ドラム１Ｙ上で、作像プロセス（帯電工程、露光工程、現像工程、転写工程、クリーニング工程、除電工程）がおこなわれて、感光体ドラム１Ｙの表面にイエロー画像が形成されることになる。
【００１２】
なお、他の３つの作像部６Ｍ、６Ｃ、６Ｋも、使用されるトナーの色が異なる以外は、イエローに対応した作像部６Ｙとほぼ同様の構成となっていて、それぞれのトナー色に対応した画像が形成される。以下、他の３つの作像部６Ｍ、６Ｃ、６Ｋの説明を適宜に省略して、イエローに対応した作像部６Ｙのみの説明をおこなうことにする。
【００１３】
図２を参照して、感光体ドラム１Ｙは、メインモータによって反時計方向に回転駆動される。一方、帯電部４Ｙには、帯電電源９２（図２参照）によって帯電バイアスが印加されている。これにより、帯電部４Ｙの位置で、感光体ドラム１Ｙの表面が一様に帯電される（帯電工程である。）。
その後、感光体ドラム１Ｙの表面は、露光部７から発せられたレーザ光Ｌの照射位置に達して、この位置での幅方向（図１、図２の紙面垂直方向であって、主走査方向である。）の露光走査によってイエローに対応した静電潜像（露光電位）が形成される（露光工程である。）。
【００１４】
その後、感光体ドラム１Ｙの表面は、現像部５Ｙとの対向位置に達して、この位置で静電潜像が現像されて、イエローのトナー像が形成される（現像工程である。）。
その後、感光体ドラム１Ｙの表面は、中間転写ベルト８及び１次転写ローラ９Ｙの対向位置に達して、この位置で感光体ドラム１の表面に形成されたトナー像が中間転写ベルト８の表面に１次転写される（１次転写工程である。）。このとき、感光体ドラム１Ｙ上には、僅かながら未転写トナーが残留する。
【００１５】
その後、感光体ドラム１Ｙの表面は、クリーニング部２Ｙとの対向位置に達して、この位置で感光体ドラム１Ｙ上に残留した未転写トナーがクリーニングブレード２ａによってクリーニング部２Ｙ内に回収される（クリーニング工程である。）。
ここで、クリーニング部２Ｙの内部には、潤滑剤供給ローラ３ａ、固形潤滑剤３ｂ、圧縮スプリング３ｃなどからなる潤滑剤供給装置３（感光体用潤滑剤供給装置）が内設されている。そして、図２の時計方向に回転する潤滑剤供給ローラ３ａによって、固形潤滑剤３ｂから潤滑剤が少量ずつ削られて、潤滑剤供給ローラ３ａによって感光体ドラム１Ｙの表面に潤滑剤が供給されることになる。
最後に、感光体ドラム１Ｙの表面は、除電部との対向位置に達して、この位置で感光体ドラム１上の残留電位が除去される。
こうして、感光体ドラム１Ｙ上でおこなわれる、一連の作像プロセスが終了する。
【００１６】
なお、上述した作像プロセスは、他の作像部６Ｍ、６Ｃ、６Ｋでも、イエロー作像部６Ｙと同様におこなわれる。すなわち、作像部の上方に配設された露光部７から、画像情報に基づいたレーザ光Ｌが、各作像部６Ｍ、６Ｃ、６Ｋの感光体ドラム１Ｍ、１Ｃ、１Ｋ上に向けて照射される。詳しくは、露光部７は、光源からレーザ光Ｌを発して、そのレーザ光Ｌを回転駆動されたポリゴンミラーで走査しながら、複数の光学素子を介して感光体ドラム上に照射する。なお、露光部７として複数のＬＥＤを幅方向に並べて配置したものを用いてもよい。
その後、各現像部５Ｍ、５Ｃ、５Ｋによる現像工程を経て各感光体ドラム１Ｍ、１Ｃ、１Ｋ上に形成した各色のトナー像を、中間転写ベルト８上に重ねて１次転写する。こうして、中間転写ベルト８上にカラー画像が形成される。
【００１７】
ここで、ベルト部材としての中間転写ベルト８は、複数のローラ部材１６〜２０によって張架・支持されるとともに、駆動モータによる駆動ローラ１６の回転駆動によって図３中の矢印方向に無端移動される。
４つの１次転写ローラ９Ｙ、９Ｍ、９Ｃ、９Ｋは、それぞれ、中間転写ベルト８を感光体ドラム１Ｙ、１Ｍ、１Ｃ、１Ｋとの間に挟み込んで１次転写ニップを形成している。そして、１次転写ローラ９Ｙ、９Ｍ、９Ｃ、９Ｋに、トナーの極性とは逆の極性の転写電圧（１次転写バイアス）が印加される。
そして、中間転写ベルト８は、矢印方向に走行して、１次転写ローラ９Ｙ、９Ｍ、９Ｃ、９Ｋの１次転写ニップを順次通過する。こうして、感光体ドラム１Ｙ、１Ｍ、１Ｃ、１Ｋ上の各色のトナー像が、中間転写ベルト８の表面に重ねて１次転写される（１次転写工程である。）。
【００１８】
その後、各色のトナー像が重ねて１次転写された中間転写ベルト８（ベルト部材）は、２次転写ローラ４０との対向位置に達する。この位置では、２次転写対向ローラ１９が、２次転写ローラ７４との間に中間転写ベルト８を挟み込んで２次転写ニップを形成している。そして、中間転写ベルト８上に形成された４色のトナー像は、この２次転写ニップの位置に搬送された用紙等のシートＰ上に２次転写される（２次転写工程である。）。このとき、中間転写ベルト８には、シートＰに転写されなかった未転写トナーが残留する。
【００１９】
その後、中間転写ベルト８は、中間転写クリーニング部１０の位置に達する。そして、この位置で、中間転写ベルト８の表面に付着した未転写トナーなどの付着物が除去される。
こうして、中間転写ベルト８上でおこなわれる、一連の転写プロセスが終了する。
【００２０】
ここで、図１を参照して、２次転写ニップの位置に搬送されるシートＰは、装置本体１００の下方に配設された給紙部２６から、給紙ローラ２７やレジストローラ対２８等を経由して搬送されるものである。
詳しくは、給紙部２６には、用紙などのシートＰが複数枚重ねて収納されている。そして、給紙ローラ２７が図１中の反時計方向に回転駆動されると、一番上のシートＰが搬送経路を経由してレジストローラ対２８のローラ間に向けて給送される。
【００２１】
レジストローラ対２８（タイミングローラ対）に搬送されたシートＰは、回転駆動を停止したレジストローラ対２８のローラニップの位置で一旦停止する。そして、中間転写ベルト８上のカラー画像にタイミングを合わせて、レジストローラ対２８が回転駆動されて、シートＰが２次転写ニップに向けて搬送される。こうして、シートＰ上に、所望のカラー画像が転写される。
【００２２】
その後、２次転写ニップの位置でカラー画像が転写されたシートＰは、搬送ベルト６０によって定着部５０の位置に搬送される。そして、この位置で、定着ベルト及び圧力ローラによる熱と圧力とにより、表面に転写されたカラー画像がシートＰ上に定着される（定着工程である。）。
その後、シートＰは、第２搬送経路Ｋ２を経由して、排紙ローラ対によって装置外へと排出される。排紙ローラ対によって装置外に排出されたシートＰは、出力画像として、スタック部上に順次スタックされる。
こうして、画像形成装置における、一連の画像形成動作（プリント動作）が完了する。
【００２３】
次に、図２にて、作像部における現像部５Ｙ（現像装置）の構成・動作について、さらに詳しく説明する。
現像部５Ｙは、感光体ドラム１Ｙに対向する現像ローラ５１Ｙと、現像ローラ５１Ｙに対向するドクターブレード５２Ｙと、現像剤収容部内に配設された２つの搬送スクリュ５５Ｙと、現像剤中のトナー濃度を検知する濃度検知センサ５６Ｙと、等で構成される。現像ローラ５１Ｙは、内部に固設されたマグネットや、マグネットの周囲を回転するスリーブ等で構成される。現像剤収容部内には、キャリアとトナーとからなる２成分現像剤Ｇが収容されている。
【００２４】
このように構成された現像部５Ｙは、次のように動作する。
現像ローラ５１Ｙのスリーブは、図２の矢印方向に回転している。そして、マグネットにより形成された磁界によって現像ローラ５１Ｙ上に担持された現像剤Ｇは、スリーブの回転にともない現像ローラ５１Ｙ上を移動する。ここで、現像部５Ｙ内の現像剤Ｇは、現像剤Ｇ中のトナーの割合（トナー濃度）が所定の範囲内になるように調整される。具体的に、現像部５Ｙに設置されたトナー濃度センサによってトナー濃度が低い状態が検知されたときには、トナー濃度が所定の範囲内になるように、トナー容器５８から現像部５Ｙ内に新品トナーが補給される。
その後、トナー容器５８から現像剤収容部内に補給されたトナーは、２つの搬送スクリュ５５Ｙによって、現像剤Ｇとともに混合・撹拌されながら、隔絶された２つの現像剤収容部を循環する（図２の紙面垂直方向の移動である。）。そして、現像剤Ｇ中のトナーは、キャリアとの摩擦帯電によりキャリアに吸着して、現像ローラ５１Ｙ上に形成された磁力によりキャリアとともに現像ローラ５１Ｙ上に担持される。
【００２５】
現像ローラ５１Ｙ上に担持された現像剤Ｇは、図２中の矢印方向に搬送されて、ドクターブレード５２Ｙの位置に達する。そして、現像ローラ５１Ｙ上の現像剤Ｇは、この位置で現像剤量が適量化された後に、感光体ドラム１Ｙとの対向位置（現像領域である。）まで搬送される。そして、現像領域に形成された電界によって、感光体ドラム１Ｙ上に形成された潜像にトナーが吸着される。その後、現像ローラ５１Ｙ上に残った現像剤Ｇはスリーブの回転にともない現像剤収容部の上方に達して、この位置で現像ローラ５１Ｙから離脱される。なお、現像領域に形成される電界は、現像電源９１によって現像ローラ５１Ｙに印加される現像バイアスと、感光体ドラム１Ｙ上の露光電位と、の電位差によって形成されるものである。
なお、トナー容器５８は、現像部５Ｙ（画像形成装置１００）に対して着脱可能（交換可能）に設置されている。そして、トナー容器５８は、その内部に収容された新品のトナーが空になると、現像部５Ｙ（画像形成装置１００）から取り外されて新品のものに交換されることになる。
【００２６】
以下、図３、図４等を用いて、本実施の形態における中間転写ベルト装置１５（ベルト装置）について説明する。
図３、図４に示すように、ベルト装置としての中間転写ベルト装置１５は、ベルト部材としての中間転写ベルト８、４つの１次転写ローラ９Ｙ、９Ｍ、９Ｃ、９Ｋ 、駆動ローラ１６、従動ローラ１７、転写前ローラ１８、２次転写対向ローラ１９、テンションローラ２０、中間転写クリーニング部１０、光学センサ８０、マーク検知センサ８５、等で構成される。
【００２７】
中間転写ベルト８（ベルト部材）は、各色のトナー像をそれぞれ担持する４つの感光体ドラム１Ｙ、１Ｍ、１Ｃ、１Ｋに当接して１次転写ニップを形成している。中間転写ベルト８は、複数のローラ部材（駆動ローラ１６、従動ローラ１７、転写前ローラ１８、２次転写対向ローラ１９、テンションローラ２０、などである。）によって張架され支持されている。
【００２８】
本実施の形態において、中間転写ベルト８は、ＰＶＤＦ（フッ化ビニルデン）、ＥＴＦＥ（エチレン−四フッ化エチレン共重合体）、ＰＩ（ポリイミド）、ＰＣ（ポリカーボネート）、等を単層又は複数層に構成して、カーボンブラック等の導電性材料を分散させたものである。中間転写ベルト８は、体積抵抗率が１０7〜１０12Ωｃｍ、ベルト裏面側の表面抵抗率が１０8〜１０12Ωｃｍの範囲となるように調整されている。また、中間転写ベルト８は、厚さが８０〜１００μｍの範囲となるように設定されている。本実施の形態では、中間転写ベルト８の厚さが９０μｍに設定されている。
なお、必要に応じて中間転写ベルト８の表面に離型層をコートすることもできる。その際、コートに用いる材料として、ＥＴＦＥ（エチレン−四フッ化エチレン共重合体）、ＰＴＦＥ（ポリ四フッ化エチレン）、ＰＶＤＦ（フッ化ビニルデン）、ＰＥＡ（パーフルオロアルコキシフッ素樹脂）、ＦＥＰ（四フッ化エチレン−六フッ化プロピレン共重合体）、ＰＶＦ（フッ化ビニル）、等のフッ素樹脂を使用できるが、これに限定されるものではない。
また、中間転写ベルト８の製造方法としては、注型法、遠心成形法、等があり、必要に応じてその表面を研磨する工程がおこなわれる。
【００２９】
１次転写ローラ９Ｙ、９Ｍ、９Ｃ、９Ｋは、それぞれ、中間転写ベルト８を介して対応する感光体ドラム１Ｙ、１Ｍ、１Ｃ、１Ｋに当接している。詳しくは、イエロー用の転写ローラ９Ｙは中間転写ベルト８を介してイエロー用の感光体ドラム１Ｙに当接して、マゼンタ用の転写ローラ９Ｍは中間転写ベルト８を介してマゼンタ用の感光体ドラム１Ｍに当接して、シアン用の転写ローラ９Ｃは中間転写ベルト８を介してシアン用の感光体ドラム１Ｃに当接して、ブラック用（黒色用）の転写ローラ９Ｋは中間転写ベルト８を介してブラック用（黒色用）の感光体ドラム１Ｋに当接している。１次転写ローラ９Ｙ、９Ｍ、９Ｃ、９Ｋは、それぞれ、芯金上に導電性スポンジ層が形成された弾性ローラであって、体積抵抗が１０6〜１０12Ω（好ましくは、１０7〜１０9Ω）の範囲となるように調整されている。
【００３０】
駆動ローラ１６は、４つの感光体ドラムに対して中間転写ベルトの走行方向下流側の位置で、中間転写ベルト８が１２０度程度の巻付角度で巻き付けられた状態で中間転写ベルト８の内周面に当接するように配置されている。駆動ローラ１６は、制御部９０によって制御される駆動モータによって図３の時計方向に回転駆動される。これにより、中間転写ベルト８は所定の移動方向（図３の時計方向である。）に移動することになる。
【００３１】
従動ローラ１７は、４つの感光体ドラムに対して中間転写ベルト８の走行方向上流側の位置で、中間転写ベルト８が１８０度程度の巻付角度で巻き付けられた状態で中間転写ベルト８の内周面に当接するように配置されている。中間転写ベルト８において、従動ローラ１７から駆動ローラ１６に至る部分は、ほぼ水平面になるように設定されている。従動ローラ１７は、中間転写ベルト８の移動（走行）にともない図３の時計方向に従動回転する。
【００３２】
テンションローラ２０は、中間転写ベルト８の外周面に当接している。転写前ローラ１８、２次転写対向ローラ１９は、中間転写ベルト８の内周面に当接している。
駆動ローラ１６を除くローラ部材１７〜２０は、いずれも、中間転写ベルト８の移動（走行）にともない従動回転する。
２次転写対向ローラ１９とテンションローラ２０との間の位置には、中間転写クリーニング部１０が設置されている。中間転写クリーニング部１０には、クリーニングブレードが設置されている。
【００３３】
図３を参照して、２次転写対向ローラ１９は、中間転写ベルト８を介して２次転写ローラ４０に当接している。２次転写対向ローラ１９は、ステンレス鋼等からなる円筒状の芯金の外周面に、体積抵抗が１０7〜１０8Ω程度で、硬度（ＪＩＳ−Ａ硬度）が４８〜５８度程度のＮＢＲゴムからなる弾性層（層厚は５ｍｍ程度である。）が形成されたものである。
【００３４】
また、本実施の形態において、２次転写対向ローラ１９は、電源部に電気的に接続されていて、その電源部から−５ｋＶ程度の高圧電圧となる２次転写バイアスが印加される。この２次転写対向ローラ１９に印加される２次転写バイアスは、２次転写ニップに搬送されるシートＰに、中間転写ベルト８の表面に１次転写されたトナー像を２次転写するためのものであって、トナーの極性と同じ極性（本実施の形態ではマイナス極性である。）の２次転写バイアス（直流電圧）の斥力転写である。これにより、中間転写ベルト８のトナー担持面（外周面）に担持されたトナーが、２次転写電界によって２次転写対向ローラ４０側から２次転写ベルト装置６９側に向かって静電移動することになる。
なお、２次転写バイアスは直流電圧に交流電圧の畳重でも良いし、また２次転写ローラ４０に印加する引力転写でも良い。
【００３５】
以下、本実施の形態における中間転写ベルト装置１５（ベルト装置）において、特徴的な構成・動作について詳述する。
先に説明したように、ベルト装置としての中間転写ベルト装置１５には、複数のローラ部材１６〜２０に張架されて、所定の移動方向に移動するベルト部材としての中間転写ベルト８が設置されている。
ここで、本実施の形態における中間転写ベルト装置１５には、図３、図４に示すように、光学センサ８０（濃度検知センサ）やマーク検知センサ８５が設けられている。
光学センサ８０とマーク検知センサ８５とは、いずれも、中間転写ベルト８のベルト表面（ベルト外周面である。）に対向するように配置されている。
【００３６】
光学センサ８０は、中間転写ベルト８の移動方向に略直交する方向（図２の紙面垂直方向であって、図３の左右方向である。）を回転軸方向として回動可能に構成されている。
詳しくは、図７、図８を参照して、光学センサ８０は、発光ダイオード等の発光素子と、フォトダイオード等の受光素子と、からなる反射型フォトセンサであって、発光素子から検知光をベルト表面に向けて投光するとともにベルト表面で反射した反射光を受光素子で受光するものである。そして、反射光量の大きさに応じて変化する受光素子の出力値から、ベルト表面の濃度を検知することになる。ここで、光学センサ８０によって検知されるベルト表面の濃度は、ベルト表面の地肌濃度（トナー像が担持されていない状態の表面濃度である。）や、ベルト表面に担持されたトナー像の画像濃度である。
【００３７】
具体的に、通常の画像形成プロセスとは別のタイミング（例えば、ウォーミングアップ時である。）で、先に説明した作像プロセスを経て中間転写ベルト８上に各色ごとに形成した検知用トナー像（パッチパターン）の画像濃度や、ベルト表面の地肌濃度を、光学センサ８０で検知することで、その差異から検知用トナー像の絶対的な画像濃度を把握することができる。そして、その画像濃度に基づいて、画像濃度が狙いの値になるように、制御部９０によって作像条件が調整される。すなわち、現像電源９１から現像ローラ５１Ｙに印加する現像バイアス、帯電電源９２から帯電部４Ｙに印加する帯電バイアス、露光部７から射出されるレーザ光Ｌの露光量、現像部５Ｙ内の現像剤Ｇのトナー濃度、のうち少なくとも１つが調整されることになる。なお、上述した検知用トナー像（パッチパターン）は、光学センサ８０が設置された幅方向の位置に形成される。
また、通常の画像形成プロセスとは別のタイミングで、先に説明した作像プロセスを経て中間転写ベルト８上に重ねて形成した検知用トナー像（パッチパターン）の画像濃度や、ベルト表面の地肌濃度を、光学センサ８０で検知することで、その差異から検知用トナー像の位置ズレ（色ズレ）を把握することができる。その位置ズレに基づいて、位置ズレが生じないように、制御部９０によって作像条件（各色の作像タイミングである。）が調整される。
以降、これらの光学センサ８０を用いた作像条件の調整をおこなう一連の制御を、適宜に「濃度調整モード」と呼ぶことにする。
【００３８】
また、光学センサ８０は、図３（及び、図７、図８）を参照して、支軸８１ａを中心に回動可能な保持部材８１に保持されている。保持部材８１は、装置１５の筐体に回動可能に保持されている。保持部材８１の支軸８１ａには、正逆双方向回転型のモータ８３が接続されている。このような構成により、制御部９０によるモータ８３の制御によって、光学センサ８０は、保持部材８１とともに、支軸８１ａを中心に図３の時計方向に回動したり反時計方向に回動したりすることになる。なお、光学センサ８０（保持部材８１）の回動方向の姿勢は、保持部材８１に設置されたエンコーダによって精度良く把握されることになる。
【００３９】
一方、マーク検知センサ８５は、中間転写ベルト８における作像領域に設置された光学センサ８０とは異なり、非作像領域に設置されている。マーク検知センサ８５は、発光ダイオード等の発光素子と、フォトダイオード等の受光素子と、からなる反射型フォトセンサである。
他方、図３、図４に示すように、中間転写ベルト８のベルト外周面における周方向の一部には、マーク部８ａが形成されている。このマーク部８ａは、中間転写ベルト８のベルト外周面（ベルト表面）とは光反射率が異なるものであって、例えば、白色の矩形状の薄いシール部材を貼着して形成したものである。マーク部８ａは、マーク検知センサ８５が設置された幅方向の位置に対応するように配置されている。
そして、マーク検知センサ８５は、「濃度調整モード」がおこなわれるときに、マーク部８ａを光学的に検知することになる。このマーク部８ａの検知は、中間転写ベルト８のベルト表面に生じた凹凸の位置を特定するためにおこなうものであるが、これについては後で詳しく説明する。
【００４０】
ここで、本実施の形態では、濃度調整モード時において、中間転写ベルト８（ベルト部材）を移動（走行）させながら光学センサ８０によって中間転写ベルト８のベルト表面の凹凸状態（図５参照）を検知して、図７、図８に示すように、中間転写ベルト８を移動させた状態でベルト表面の凹凸形状に合わせて光学センサ８０を回動させながら光学センサ８０によってベルト表面の濃度を検知している。
そして、そのようにして光学センサ８０によって検知されるベルト表面の濃度（地肌濃度や検知用トナー像の画像濃度である。）に基づいて、先に説明したように、ベルト表面にトナー像を形成するときの作像条件が調整されることになる。
【００４１】
このように光学センサ８０を適宜回転させながらベルト表面の濃度を検知する理由は、中間転写ベルト８のベルト表面における凸部Ｗ（図７参照）や凹部Ｒ（図８参照）の濃度を検知するときに、ベルト表面の平面部Ｑ（図７、図８参照）を検知するときに比べて、検知誤差が生じやすいためである。平面部Ｑは、図７、図８の矢印方向（移動方向）に移動しても光学センサ８０の検知面に対する角度（略平行）が変化せずに、光学センサ８０の発光素子からベルト表面に投光される検知光の入射角や、ベルト表面から受光素子に受光される反射光の反射角が、ほとんど変化しないため、検知精度の低下が生じにくい。これに対して、凸部Ｗや凹部Ｒは、図７、図８の矢印方向（移動方向）に移動すると光学センサ８０の検知面に対する角度が変化して、光学センサ８０の発光素子からベルト表面に投光される検知光の入射角や、ベルト表面から受光素子に受光される反射光の反射角が、変化してしまうため、検知精度の低下が生じやすい。そして、そのような状態で、光学センサ８０で検知した凸部Ｗや凹部Ｒの地肌濃度や画像濃度に基づいて作像条件が調整されてしまうと、作像条件が正しく調整されずに、画像濃度不良や色ズレなどの異常画像が生じてしまうことになる。
これに対して、本実施の形態では、光学センサ８０によって凸部Ｗや凹部Ｒの表面濃度（地肌濃度や検知用トナー像の画像濃度である、）を検知するときには、そのような光学センサ８０の検知面に対する角度が変化せずに一定になるように、制御部９０によるモータ８３の制御によって、凹凸形状に合わせて光学センサ８０を回動させている。これにより、中間転写ベルト８のベルト表面の凹凸状態に関係なく、ベルト表面の地肌濃度や画像濃度が光学センサ８０によって高精度に検知されることになる。そして、その検知結果に基づいて、作像条件が正しく調整されて、画像濃度不良や色ズレなどの異常画像が生じにくくなる。
【００４２】
なお、中間転写ベルト８のベルト表面の凹凸は、部品精度上の理由など種々の理由で多少生じるものであるが、上述した光学センサ８０による検知精度に影響を及ぼすような比較的大きな凹凸について、主となるものの１つは、「巻き癖」によるものである。
上述したように、中間転写ベルト８は複数のローラ部材１６〜２０によって張架・支持されている。したがって、中間転写ベルト８を駆動停止した状態が長時間続くと、中間転写ベルト８においてローラ部材１６〜２０に接した部分に「巻き癖」が生じやすくなる。具体的に、図３を参照して、中間転写ベルト８のベルト内周面に当接する４つのローラ部材１６〜１９の部分では、それらのローラ曲率に近似した凸状の巻き癖（凸部Ｗ）が形成されやすくなる。これに対して、中間転写ベルト８のベルト外周面に当接するローラ部材２０の部分では、そのローラ曲率に近似した凹状の巻き癖（凹部Ｒ）が形成されやすくなる。
このような巻き癖は、中間転写ベルト８の駆動が開始されて暫く時間が経過すると、ある程度消失するものであるが、「濃度調整モード」が主としてウォーミングアップ時におこなわれるものであるため、無視できないものになる。
【００４３】
また、上述した光学センサ８０による検知精度に影響を及ぼすような比較的大きな凹凸について、主となるもののもう１つは、「ベルト周長偏差」によるものである。
中間転写ベルト８は、そのベルト周長が幅方向にわたって一定であることが望ましいが、部品精度の限界から、そのようにはならず、ベルト周長が幅方向で一定にならないことがある。そのような場合には、ベルト周長が短い部分ではベルトが張った状態になり、ベルト周長が長い部分ではベルトが緩んだ状態になり、その差異によってベルト表面に波打ち状の凹凸が形成されてしまうことになる。
【００４４】
以下、本実施の形態における濃度調整モード時の中間転写ベルト装置１５の動作について、さらに詳しく説明する、
本実施の形態では、まず、マーク検知センサ８５によってマーク部８ａを検知したタイミングをトリガーとして、光学センサ８０によってベルト表面の凹凸状態を検知して、ベルト表面における凹部Ｒ又は凸部Ｗの周方向の位置を特定する。すなわち、マーク部８ａの位置を基準として、ベルト表面の凹凸状態が把握されることになる。このような動作を適宜に「センシング動作」と呼ぶ。
そして、図７、図８を参照して、凹部Ｒ又は凸部Ｗが光学センサ８０の位置に移動したときには、凹部Ｒ又は凸部Ｗの形状に合わせて光学センサ８０を回動させながら光学センサ８０によって凹部Ｒ又は凸部Ｗの濃度を検知する。詳しくは凹部Ｒ又は凸部Ｗが光学センサ８０の位置に移動したときには、凹部Ｒ又は凸部Ｗの移動方向の移動にともなう投光位置（検知光が投光され反射する位置である。）の傾きの変位に合わせて投光位置に正対するように（入射角や反射角が一定になるように）、光学センサ８０を回動させながら光学センサ８０によって凹部Ｒ又は凸部Ｗの濃度を検知する。
これに対して、凹部Ｒでも凸部Ｗでもない平面部Ｑが光学センサ８０の位置に移動したときには、光学センサ８０を回動させずに平面部Ｑに正対した光学センサ８０によって平面部Ｑの濃度を検知する。すなわち、平面部Ｑを検知するときには、光学センサ８０の検知面とベルト表面とが略平行な状態を維持して、光学センサ８０の回動はおこなわない。
【００４５】
さらに、図５、図６を用いて、補足的に説明する。
まず、中間転写ベルト８の表面の濃度（反射光量）を読み取る前に、中間転写ベルト８を走行（移動）させながら光学センサ８０をセンシング装置としてベルト表面を読み取り（センシング動作をおこない）、中間転写ベルト８が１周した時点で検知結果（反射光量の大きさにともなう出力値）を記憶する。このとき、光学センサ８０は、回動されずに、図７（Ａ）や図８（Ａ）に示す基準回動位置に固定されている。図５は、そのときの検知結果の一例を示すグラフである。図５に示すように、光学センサ８０の出力波形はベルト表面の光沢ムラや巻き癖などによる凹凸によって変化する。特に、図５中、丸枠で囲んだように、巻き癖などによる大きな凹凸がある場合には、その位置で出力値が大きく変化する。
このようなベルト表面を検知するセンシング動作は、マーク部８ａを起点としておこなっているため、中間転写ベルト８のどの位置で出力値（反射光量）が変化しているのか把握することができる。したがって、巻き癖などによる大きな凹凸が、マーク部８ａからどれだけ離れた位置にあるかも把握することができる。
このようなベルト表面の凹凸状態のセンシングをベルト１周分おこなって、２周目に、１周目で出力値（反射光量）が変化した箇所（凹凸が大きな箇所）で光学センサ８０を図７、図８の反時計方向に回動させて反射光量の増減を測定する。このとき、凸部Ｗであれば出力値が１周目のものよりも小さくなり、凹部Ｒであれば出力値が１周目のものよりも大きくなるため、凸部Ｗと凹部Ｒとを区別することができる。
このようにして、センシング動作時に、濃度調整モード時において光学センサ８０を回動させるタイミングＴｎが定められることになる。
【００４６】
また、センシング動作時には、濃度調整モード時において光学センサ８０を回動させるときの、回動時間（傾き速度Ｖｎ）や回動角度θｎが演算されることになる。
光学センサ８０を回動させる回動時間（傾き速度Ｖｎ）は、１周目の出力値に対して低減し始める位置から回復するまでの時間で演算される。また、回転角度は、出力値の変化量から演算する。具体的に、ベルト表面に図６（Ａ１）、（Ｂ１）に示すような凸部Ｗがそれぞれある場合に、図６（Ａ２）、（Ｂ２）に示すように、時間（Ｔ）と出力値（Ａ）との関係が分かるため、光学センサ８０の回動時間をＴとすると、凸部Ｗのセンシングを開始するときの光学センサ８０の回動角度θは、以下の式から求めることができる。
θ＝ｔａｎ-1（Ａ／（Ｔ／２））
この例では、光学センサ８０の初期の傾き角度は凸部Ｗ（巻き癖部）での最小出力値と最大出力値を直線で結んだ値から角度を求めて代用している。光学センサ８０での読み取り値のデータ精度を向上させるには、出力値の円弧形状に沿った値を求めて光学センサ８０を回動させることが好ましい。
光学センサ８０の回動角度がＴ／２時間だけ進んだときに、光学センサ８０の回動角度θが０になるように回動させていく。このとき、ベルト表面の凸部Ｗの頂点を光学センサ８０が検知している状態となる。その後は、凸部Ｗが終点となるまで、光学センサ８０の回動角度θを変化させていって、凸部Ｗが通過した後に、光学センサ８０の回動角度θが０になるように回動させる。
なお、図６（Ａ２）、（Ｂ２）を参照して、光学センサ８０を回動開始した直後の回動時間（Ｔａ）における出力値のデータと、回動終了した直前の回動時間（Ｔｂ）における出力値のデータと、は誤差を含んでいる可能性があるため、上述した演算をおこなうためのデータから省いている。
【００４７】
図７（Ａ）〜（Ｄ）は、中間転写ベルト８のベルト表面の凸部Ｗが形成されている場合の、濃度調整モード時における光学センサ８０の動作を示す図である。
まず、図７（Ａ）に示すように、光学センサ８０の位置を平面部Ｑが通過するとき、光学センサ８０は基準回動位置（光学センサ８０の検知面が平面部Ｑに対して略平行になる回動位置である。）に位置している。
そして、図７（Ｂ）に示すように、凸部Ｗが光学センサ８０の位置に達すると、先に説明したセンシング動作時の演算結果（Ｔｎ、θｎ、Ｖｎ）に基づいて、光学センサ８０を最初に時計方向に大きく回動させて、その後に光学センサ８０を徐々に反時計方向に回動させていく。そして、図７（Ｃ）に示すように、凸部Ｗの頂部が光学センサ８０の位置に達すると、光学センサ８０は基準回動位置に回動した状態になる。その後も、図７（Ｄ）に示すように、センシング動作時の演算結果（Ｔｎ、θｎ、Ｖｎ）に基づいて、光学センサ８０を徐々に反時計方向に回動させていく。
そして、凸部Ｗが通過して再び平面部Ｑが光学センサ８０の位置に達すると、光学センサ８０は基準回動位置に回動されることになる。
【００４８】
図８（Ａ）〜（Ｄ）は、中間転写ベルト８のベルト表面の凹部Ｒが形成されている場合の、濃度調整モード時における光学センサ８０の動作を示す図である。
まず、図８（Ａ）に示すように、光学センサ８０の位置を平面部Ｑが通過するとき、光学センサ８０は基準回動位置に位置している。
そして、図８（Ｂ）に示すように、凹部Ｒが光学センサ８０の位置に達すると、先に説明したセンシング動作時の演算結果（Ｔｎ、θｎ、Ｖｎ）に基づいて、光学センサ８０を最初に時計方向に大きく回動させて、その後に光学センサ８０を徐々に反時計方向に回動させていく。そして、図８（Ｃ）に示すように、凹部Ｒの最下部が光学センサ８０の位置に達すると、光学センサ８０は基準回動位置に回動した状態になる。その後も、図８（Ｄ）に示すように、センシング動作時の演算結果（Ｔｎ、θｎ、Ｖｎ）に基づいて、光学センサ８０を徐々に反時計方向に回動させていく。
そして、凹部Ｒが通過して再び平面部Ｑが光学センサ８０の位置に達すると、光学センサ８０は基準回動位置に回動されることになる。
【００４９】
このように、本実施の形態では、中間転写ベルト８のベルト表面に巻き癖や周長偏差などによる凹凸が形成されてしまった場合であっても、そのベルト表面の凹凸状態に合わせて光学センサ８０を回動させながらベルト表面の濃度（地肌濃度や画像濃度である。）を検知しているため、その検知精度を効率的に高めることができる。
【００５０】
以下、図９を用いて、「センシング動作」から「濃度調整モード」に至る制御フローの一例について説明する。
図９に示すように、まず、装置本体１００の電源がオンされると、初期調整動作（ウォーミングアップ動作）が実行される（ステップＳ１）。この初期動作は、画像形成装置１００を立ち上げるために必要な、各部の初期調整である。
そして、その初期調整動作の１つとして、中間転写ベルト８のベルト表面の凹凸状態を検知するセンシング動作が開始される（ステップＳ２）。まず、中間転写ベルト８が駆動開始されて（ステップＳ３）、マーク検知センサ８５によってベルト表面のマーク部８ａが検知される（ステップＳ４）。そして、この検知タイミングをトリガーにして、制御部９０におけるタイマーによって時間の計測が開始される（ステップＳ５）。そして、光学センサ８０がオンされて、ベルト表面が検知される（ステップＳ６）。
そして、マーク検知センサ８５によってベルト表面のマーク部８ａが再び検知されると（ステップＳ７）、中間転写ベルト８の１周分の検知が終了したものとして、光学センサ８０がオフされる（ステップＳ８）。そして、その１周分の検知結果に基づいて、濃度調整モード時において光学センサ８０を回動させるタイミングＴｎや回動角度θｎや傾き速度Ｖｎが演算される（ステップＳ９）。こうして、「センシング動作」が終了する。
【００５１】
その後、図９に示すように、中間転写ベルト８の走行を続けながら「濃度調整モード」が開始される（ステップＳ１０）。具体的に、中間転写ベルト８のベルト表面には、各色の画像濃度や色ズレ（位置ズレ）を調整するための検知用トナー像（パッチパターン）が形成される。そして、ベルト表面の地肌濃度や検知用トナー像の画像濃度が光学センサ８０によって検知される。
このとき、マーク検知センサ８５によってベルト表面のマーク部８ａが検知されて（ステップＳ１１）、その検知タイミングをトリガーにしてタイマーによって時間の計測が開始される（ステップＳ１２）。そして、タイマーの時間がＴ１になったときに、光学センサ８０の位置に凹部Ｒ又は凸部Ｗが達したものとして、ステップＳ９で求めた回動角度θ１や傾き速度Ｖ１に基づいて光学センサ８０の回動がおこなわれる（ステップＳ１３、Ｓ１４）。したがって、凹部Ｒ又は凸部Ｗに形成された画像濃度や地肌濃度を検知しても、その検知結果は精度の高いものとなる。
そして、このような光学センサ８０の回動動作はセンシング動作でセンシングした凹凸の数（ｎ）だけおこなわれる（ステップＳ１５、Ｓ１６）。そして、ベルト表面の地肌濃度や検知用トナー像の画像濃度がすべて光学センサ８０によって検知された後に、それらの検知結果に基づいて作像条件の調整によって、各色の画像濃度が最適化されたり、色ズレ（位置ズレ）が矯正されたりして、「濃度調整モード」が終了する（ステップＳ１７）。
そして、中間転写ベルト８の駆動が停止されて（ステップＳ１８）、プリント動作（ジョブ動作）に備えてジョブ待機状態に移行する（ステップＳ１９）。
【００５２】
＜変形例１＞
図１０は、変形例１としての中間転写ベルト装置１５の一部を幅方向にみた概略図であって、本実施の形態における図４に対応する図である。
図１０に示すように、変形例１では、複数の光学センサ８０が幅方向の異なる位置（幅方向の中央部と両端部との３箇所である。）に設置されている。そして、これらの複数の光学センサ８０は、それぞれ別々のタイミングで回動可能に構成されている。
このような構成は、各色の画像濃度の調整や位置ズレの矯正を、幅方向の偏差を平均化した値に基づいておこなうために、幅方向の異なる位置に検知用トナー像をそれぞれ形成する場合に有用になる。すなわち、そのような場合には、幅方向の異なる位置に形成された検知用トナー像の画像濃度や、その位置の地肌濃度を、３つの光学センサ８０でそれぞれ検知して、３つの検知結果を平均化した値に基づいて作像条件を調整することになる。そのとき、３つの光学センサ８０で、それぞれ独立して、本実施の形態で説明した「センシング動作」と「濃度調整モード」とがおこなわれることになる。
そして、変形例１においても、本実施の形態のものと同様に、光学センサ８０によって中間転写ベルト８のベルト表面を精度良く効率的に検知することができる。そして、作像条件が精度良く最適化されることになる。
【００５３】
＜変形例２＞
図１１は、変形例２としての中間転写ベルト装置１５を示す構成図であって、本実施の形態における図３に対応する図である。
図１１に示すように、変形例２では、中間転写ベルト８（ベルト部材）のベルト内周面に対向するようにマーク検知センサ８５が配置されている。そして、中間転写ベルト８のベルト内周面における周方向の一部にマーク部８ａが形成されている。マーク部８ａは、中間転写ベルト８の移動方向の位置を特定するためにベルト表面に予め形成されたものであって、検知用トナー像のように作像プロセスによって適宜形成されるものではないため、このような構成が可能になる。
そして、変形例２においても、本実施の形態のものと同様に、光学センサ８０によって中間転写ベルト８のベルト表面を精度良く効率的に検知することができる。そして、作像条件が精度良く最適化されることになる。
特に、変形例２では、マーク検知センサ８５が中間転写ベルト８の内周面側に設置されているため、マーク検知センサ８５の検知面に紙粉や浮遊トナーが付着して検知精度が低下する不具合が生じにくくなる。
【００５４】
以上説明したように、本実施の形態における中間転写ベルト装置１５（ベルト装置）は、複数のローラ部材１６〜２０に張架されて所定の移動方向に移動する中間転写ベルト８（ベルト部材）に対向するように配置されて、その移動方向に略直交する方向を回転軸方向として回動可能に構成された光学センサ８０が設置されている。そして、中間転写ベルト８を移動させながら光学センサ８０によって中間転写ベルト８のベルト表面の凹凸状態を検知して、中間転写ベルト８を移動させた状態でベルト表面の凹凸形状に合わせて光学センサ８０を回動させながら光学センサ８０によってベルト表面の濃度を検知している。
これにより、光学センサ８０によって中間転写ベルト８のベルト表面を精度良く効率的に検知することができる。
【００５５】
なお、本実施の形態では、ベルト部材としての中間転写ベルト８が設置された中間転写ベルト装置１５に対して本発明を適用したが、本発明の適用はこれに限定されることなく、例えば、感光体ベルトなどのベルト部材が設置されたベルト装置に対しても、本発明を適用することができる。
そして、そのような場合であっても、本実施の形態のものと同様の効果を得ることができる。
【００５６】
また、本発明が本実施の形態に限定されず、本発明の技術思想の範囲内において、本実施の形態の中で示唆した以外にも、本実施の形態は適宜変更され得ることは明らかである。また、前記構成部材の数、位置、形状等は本実施の形態に限定されず、本発明を実施する上で好適な数、位置、形状等にすることができる。
【符号の説明】
【００５７】
１Ｙ、１Ｍ、１Ｃ、１Ｋ  感光体ドラム（像担持体）、
８  中間転写ベルト（ベルト部材）、
８ａ  マーク部、
１５  中間転写ベルト装置（ベルト装置）、
８０  光学センサ、
８１  保持部材、
８１ａ  支軸、
８５  マーク検知センサ、
１００  画像形成装置（画像形成装置本体）、
Ｗ  凸部、  Ｒ  凹部、  Ｑ  平面部。
【先行技術文献】
【特許文献】
【００５８】
【特許文献１】特開２００７−３１００１０号公報
【特許文献２】特開２０１５−１５２６９７号公報
【図１】
2020154113.tif 000003
【図２】
2020154113.tif 000004
【図３】
2020154113.tif 000005
【図４】
2020154113.tif 000006
【図５】
2020154113.tif 000007
【図６】
2020154113.tif 000008
【図７】
2020154113.tif 000009
【図８】
2020154113.tif 000010
【図９】
2020154113.tif 000011
【図１０】
2020154113.tif 000012
【図１１】
2020154113.tif 000013